(57)【特許請求の範囲】
【請求項１】
外形形状が略円形で内部の噴流孔に連通する噴流口を有するノズル本体と、該ノズル本体が回転自在に収容配置されるノズル本体支持部材とを備え、気泡混合噴流が前記噴流孔内を流れ前記噴流口からバスタブ内に噴射されることによってノズル本体が前記ノズル本体支持部材内で回転するジュットバス用の回転ノズル装置であって、
前記ノズル本体の外周面にその回転を制動する制動手段を設けたことを特徴とするジェットバス用の回転ノズル装置。
【請求項２】
前記ノズル本体には前記噴流口が複数設けられて回転することを特徴とする請求項１に記載のジェットバス用の回転ノズル装置。
【請求項３】
前記制動手段は、ノズル本体の回転時に水の抵抗力を受ける羽根で形成されていることを特徴とする請求項１または２に記載のジェットバス用の回転ノズル装置。
【請求項４】
前記羽根は、水の抵抗力が所定値となるようにその形状が予め設定されていることを特徴とする請求項３に記載のジェットバス用の回転ノズル装置。
【請求項５】
前記ノズル本体は、その軸芯位置にシャフトが設けられ、該シャフトの一端がオリフィスの軸孔に支持され、他端が前記ノズル本体支持部材に直接もしくは間接的に支持されていることを特徴とする請求項１ないし４のいずれかに記載のジェットバス用の回転ノズル装置。
【発明の詳細な説明】
【０００１】
【発明の属する技術分野】
本発明は、例えば水（湯を含む）と空気との気泡混合噴流をバスタブ内に噴射させてジェット噴流を発生させるジェットバス用の回転ノズル装置に関する。
【０００２】
【従来の技術】
従来、バスタブの側壁に設けられてバスタブ内にジェット噴流を発生させるジェットバス用の回転ノズル装置としては、例えば図１１に示すものが知られている。この回転ノズル装置１０１は、外形形状が略円形に形成され内部に設けた噴流孔１０３の例えば一対の噴流口１０４が軸芯位置より偏心するノズル本体１０２と、このノズル本体１０２を回転自在に収容するユニット噴流口カバー１０５と、バスタブ１０６内の水を所定圧力でノズル本体１０２の噴流孔１０３内に噴射するオリフィス１０７等を備えている。
【０００３】
そして、ノズル本体１０２の軸芯位置にシャフト１０８を貫通配置し、このシャフト１０８の一端をオリフィス１０７の軸孔に支持すると共に、シャフト１０８の他端をユニット噴流口カバー１０５に一体化された噴流口カバー１０９に支持することにより、噴流口１０４から噴射される噴流で回転自在なノズル本体１０２をユニット噴流口カバー１０５内で回転させてジェット噴流を発生させるようにしたものである。
【０００４】
【発明が解決しようとする課題】
しかしながら、この回転ノズル装置１０１にあっては、ノズル本体１０２が回転式であることから、例えば大型のノズル本体１０２を使用した大流量の回転するジェット噴流により、入浴者が体を一々動かさなくても体の広い範囲にジェット噴流を当ててマッサージができるものの、次のような問題点を有している。すなわち、ノズル本体１０２の回転数を上げて高速で回転させると、１回当りの体の各部にジェット噴流が当たる時間が短くなり過ぎて回転による効果を充分に得ることができない場合があり、逆にノズル本体１０２の回転数を下げて低速で回転させると、１回当りの体の各部にジェット噴流が当たる時間が長くなり過ぎる場合がある。
【０００５】
そのため、ジェット噴流で快適なマッサージ効果を得るためには、ノズル本体１０２の回転数を適正値に設定して体の各部にジェット噴流を良好に当てる必要があり、上記の回転ノズル装置１０１の場合、ジェット噴流の吐出角度を緩めて回転力を弱めることでノズル本体１０２の回転力を調整することができる。しかし、この吐出角度の調整で回転力を弱める場合には、回転数が低下したノズル本体１０２の例えばシャフト１０８の支持部の摩擦等によって、ノズル本体１０２が停止したりあるいは安定した回転が得られず、ノズル本体１０２を適正な回転数に安定維持することが難しい。
【０００６】
本発明はこのような事情に鑑みてなされたもので、その目的は、ノズル本体に安定した適正な回転が容易に得られて快適なマッサージ効果が得られるジェットバス用の回転ノズル装置を提供することにある。また、他の目的は、前記目的に加え、ノズル本体に一層適正で安定した回転が得られたり、制動手段の構成の簡略化等を図り得るジェットバス用の回転ノズル装置を提供することにある。
【０００７】
【課題を解決するための手段】
かかる目的を達成すべく、本発明のうち請求項１に記載の発明は、外形形状が略円形で内部の噴流孔に連通する噴流口を有するノズル本体と、該ノズル本体が回転自在に収容配置されるノズル本体支持部材とを備え、気泡混合噴流が前記噴流孔内を流れ前記噴流口からバスタブ内に噴射されることによってノズル本体が前記ノズル本体支持部材内で回転するジュットバス用の回転ノズル装置であって、前記ノズル本体の外周面にその回転を制動する制動手段を設けたことを特徴とする。また、請求項２に記載の発明は、前記ノズル本体に前記噴流口が複数設けられて回転することを特徴とする。
【０００８】
このように構成することにより、ノズル本体支持部材内に回転自在に収容配置されたノズル本体は、その噴流孔の噴流口から噴射される気泡混合噴流によって所定回転数で回転して、バスタブ内にジェット噴流が回転状態で噴射される。この時、回転自在なノズル本体の回転を、回転界面としてのノズル本体の外周面に設けられた制動手段によって制動できることから、制動手段がノズル本体の回転時に水による抵抗力を効率的に受けることができて、ノズル本体内に供給される流量を多くした状態でノズル本体の回転数を低くして適正値に制動（調整）でき、ノズル本体に安定した適正な回転が容易に得られる。
【００１０】
また、前記制動手段は、請求項３に記載の発明のように、ノズル本体の回転時に水の抵抗力を受ける羽根で形成されていることが好ましく、この場合は、前記羽根は、請求項４に記載の発明のように、水の抵抗が所定値となるようにその形状が予め設定されていることが好ましい。このように構成することにより、ノズル本体に設けられる制動手段が羽根で形成されることから、制動手段の構成が簡略化されて例えば羽根のノズル本体への一体成形が可能となり、また、羽根の形状を予め設定することで、ノズル本体に所望の回転数が容易に得られる。
【００１１】
また、前記ノズル本体は、請求項５に記載の発明のように、その軸芯位置にシャフトが設けられ、該シャフトの一端がオリフィスの軸孔に支持され、他端が前記ノズル本体支持部材に直接もしくは間接的に支持されていることが好ましい。このように構成することにより、ノズル本体の回転軸としてのシャフトをオリフィスとノズル本体支持部材とによって支持できることから、例えばオリフィスとノズル本体の軸を容易に一致させることができて、ノズル本体の一層安定した回転が得られると共にノズル本体の支持機構の簡略化等が図れる。
【００１２】
【発明の実施の形態】
以下、本発明の実施の形態の一例を図面に基づいて詳細に説明する。
図１〜図４は、本発明に係わるジェットバス用の回転ノズル装置の一実施例を示し、図１がバスタブへの取付け状態の断面図、図２がノズル本体を拡大した半断面図、図３がノズル本体の正面図、図４が羽根枚数と回転数の関係を示すグラフである。
【００１３】
図１において、回転ノズル装置１は、バスタブ６の側壁開口６ａにパッキン１０及びメジボンド１１等を介して取り付けられた噴流口継手１２を有し、この噴流口継手１２のネジ部には、ユニットバルブ配管１３のネジ部が螺合している。ユニットバルブ配管１３には、湯供給口１４と空気供給口１５が設けられると共に、湯供給口１４の下流側のネジ部には、ノズル本体支持部材を構成するユニット噴流口カバー５の後端部に一体化されたオリフィス７が螺合している。
【００１４】
前記ユニット噴流口カバー５は、噴流口継手１２の内側に配設され、このユニット噴流口カバー５内には、後述するノズル本体２がオリフィス７と噴流口カバー９とで支持されることにより、回転自在に収容配置されている。前記オリフィス７は、後端部の外周に設けたネジ部をユニットバルブ配管１３のネジ孔に螺合させることによってユニットバルブ配管１３に取り付けられており、その前端部の外周には、係合凹部が形成されている。そして、この係合凹部に、ユニット噴流口カバー５の後端部に形成された例えば複数の係止突起が係合することによって、オリフィス７とユニット噴流口カバー５とが一体化されている。
【００１５】
また、オリフィス７は、その後端部側に径大な孔７ｂを有し、この孔７ｂの下流側には、２つの吐出孔７ｃが軸方向に連通する状態で形成されている。このオリフィス７によって、ユニットバルブ配管１３の湯供給口１４から供給される湯が、吐出孔７ｃから所定圧力でノズル本体２方向に吐出され、この湯がユニットバルブ配管１３の空気供給口１５から、ユニット噴流口カバー５に設けられた空気取入孔１６を介して供給される空気と混合することによって気泡混合噴流となり、この気泡混合噴流がノズル本体２の噴流孔３及び噴流口４ａ、４ｂを介してバスタブ６内に噴射されることになる。
【００１６】
前記ユニット噴流口カバー５と共にノズル本体支持部材を形成する前記噴流口カバー９は、リング状の基部９ｂと３本の棒状の支持部９ｃとで形成され、３本の支持部９ｃの合流部９ｄにシャフト支持孔としての軸孔９ａが形成されている。そして、この噴流口カバー９は、ユニット噴流口カバー５の凹部５ａ内に、その基部９ｂがネジ等（図示せず）で着脱可能に嵌合固定されることによって、ユニット噴流口カバー５に一体化されている。
【００１７】
前記ノズル本体２は、図２及び図３に示すように、略有底筒状に形成され、外形形状が円形に形成された円筒部１７と、この円筒部１７の先端側（底面側）に傘状に形成された噴射面部１８とで構成され、円筒部１７から噴射面部１８にかけての内部には前記噴流孔３が形成されると共に、その軸心位置には前記シャフト８が貫通配置されている。
【００１８】
前記噴流孔３は、その上流側の開口がオリフィス７の吐出孔７ｃやユニット噴流口カバー５の空気取入孔１６に連通すると共に、その下流側が前記噴射面部１８に形成された２つの噴流口４ａ、４ｂに連通している。この噴射面部１８に形成される噴流口４ａ、４ｂは、ノズル本体２の軸芯より外側に偏心した位置の対角線上に、噴射面部１８から所定寸法外側に突出する状態で形成されると共に、各噴流口４ａ、４ｂは、噴射面部１８の傾斜に沿って軸心から外側方向でかつ所定方向（例えば反回転方向）に指向する状態で形成されている。なお、この例では、２つの噴流口４ａ、４ｂの穴径を同一に設定したが、例えば２つの噴流口４ａ、４ｂの穴径を異ならせて、各噴流口４ａ、４ｂから噴射される気泡混合噴流自体に強弱を持たせることもできるし、噴流口４ａ、４ｂ自体の数も適宜に増加できる。
【００１９】
また、ノズル本体２は、その噴射面部１８の中心位置に軸孔１８ａが設けられると共に、該軸孔１８ａの先端部に凸部１８ｂが設けられ、この凸部１８ｂの前端面が前記噴流口カバー９に略当接している。そして、このノズル本体２を支持する前記シャフト８は、前記軸孔１８ａに接着剤で固着されることによって、ノズル本体２に一体化されている。また、シャフト８の前端部は所定寸法前方に突出し、図１に示すように、この前端部が噴流口カバー９の軸孔９ａに回転自在に支持されると共に、シャフト８の後端部は、オリフィス７のシャフト支持孔としての軸孔７ａに回転自在に支持されている。これにより、ノズル本体２は、その軸芯位置に設けられたシャフト８によってユニット噴流口カバー５内に回転自在に配置されていることになる。
【００２０】
なお、シャフト８のノズル本体２の後端面からの突出長さとオリフィス７の軸孔７ａの深さ等は、回転時の負圧によってノズル本体２がオリフィス７方向に吸い込まれて移動した場合であっても、良好な回転動作が得られるように設定されている。
【００２１】
さらに、ノズル本体２は、その噴射面部１８に制動手段としての複数枚（図では６枚）の羽根１９が設けられている。この羽根１９は、ノズル本体２の外周面となる噴射面部１８の噴射口４ａ、４ｂが設けられない位置に側面視三角形状の所定板厚のリブ状に一体成形され、その外形形状がノズル本体２の外周縁より突出しないように設定されている。この羽根１９がノズル本体２の回転と一体となって回転することにより、その噴射面部１８前方の水の抵抗力を受けてノズル本体２の回転が制動させることになる。
【００２２】
なお、この例における羽根１９は、６枚の略三角形状の平板状（リブ状）に形成したが、例えば図３の二点鎖線で示すように、ノズル本体２の回転方向イに対して凹んだ略円弧形状（もしくは膨らんだ円弧形状）に設定して水の抵抗力を例えば大きくするように調整しても良いし、形状の異なる羽根１９を適宜に組み合わせて水の抵抗力を調整することもできる。また、羽根１９の枚数も６枚に限らず所望の回転数が得られる適宜枚数に設定することができる。
【００２３】
次に、上記回転ノズル装置１の動作について説明する。先ず、図示しないジェットバスに設けられた運転スイッチをオンさせてポンプを作動させると、バスタブ６内の湯が取水されてポンプから回転ノズル装置１のユニットバルブ配管１３の湯供給口１４に供給される。この湯供給口１４に図１の矢印ロの如く供給された湯は、オリフィス７で所定圧力となって、その吐出孔７ｂから矢印ハの如くノズル本体２の噴流孔３内に吐出される。
【００２４】
このノズル本体２内に吐出された湯は、ユニットバルブ配管１３の空気供給口１５から空気取入孔１６を介して矢印ニ、ホの如く供給される空気と混合して気泡混合噴流となり、この気泡混合噴流がノズル本体２の噴流孔３内を矢印ヘの如く流れ、２つの噴流口４ａ、４ｂから矢印トの如くバスタブ６内に噴射される。この時、気泡混合噴流の圧力がノズル本体２の反回転方向に指向している噴流口４ａ、４ｂの内面にそれぞれ作用し、これによりノズル本体２がシャフト８を中心にして所定方向（図３の矢印イ方向）に回転する。
【００２５】
そして、このノズル本体２の回転数は、ユニットバルブ配管１３の湯供給口１４に供給される湯の流量によって所定値に設定され、このノズル本体２の回転時に、ノズル本体２に設けられた羽根１９にノズル本体２前方の水の抵抗力が作用することで、ノズル本体２の回転数を低くすることができる、すなわちノズル本体２の回転が制動される状態となる。したがって、湯供給口１４から供給される湯の流量が多い場合であっても、ノズル本体２の回転数を所定値に抑えることが可能になり、この場合、ノズル本体２に設けられる羽根１９の面積（すなわち羽根枚数）がその回転数に影響することになる。
【００２６】
図４は、上記構成のノズル本体２を用い、実験によって得られた羽根１９の枚数とノズル本体２の回転数の関係を示すグラフである。このグラフから、例えば上記羽根１９を６枚設けた場合は、羽根１９を設けない場合に対して、ノズル本体２の回転数が略４０％程度低減される状態となり、流量を多くした状態での低速回転が得られることが解る。
【００２７】
このように、上記実施例の回転ノズル装置１においては、外形形状が略円形のノズル本体２に羽根１９を設けて、ノズル本体２の回転時に羽根１９に水の抵抗力を作用させてノズル本体２の回転数を低くすることができるため、流量を多くした状態での低速回転を容易に得ることができて、従来と同じ回転数の場合であっても、その流量が多いことから、ノズル本体２を回転させる力が大きくなって、シャフト８の摩擦等でノズル本体２の回転が停止すること等がなくなり、安定した回転状態を得ることができる。その結果、ノズル本体２の回転数を適正値に容易に設定できて、快適なジェット噴流を入浴者の体の広い範囲に当てることができ、入浴中に快適なマッサージ効果を得ることが可能になる。
【００２８】
また、ノズル本体２の噴射面部１８にノズル本体２の外形縁より突出しない状態でかつリブ状の羽根１９を設けることで制動手段が形成されるため、例えば羽根１９をノズル本体２に一体成形できて、ノズル本体２の構成の簡略化や羽根１９の形成を容易に行うことができ、安価な回転ノズル装置１を得ることが可能になる。
【００２９】
さらに、羽根１９の形状を例えば単なる平板状や円弧形状等に予め設定したり、羽根１９の面積（すなわち羽根枚数）を所定に設定すること等により、水による所定の抵抗力を受けることができるため、所望の適正な回転数への設定を容易に行うことができると共に、供給される湯の流量との関係を適正に設定することで、より一層快適なジェット噴流を得ることが可能になる。また、ノズル本体２の回転数が流量のみでなく羽根１９の枚数等によっても低くし得ることから、例えば供給される湯の流量の可変幅を従来に比較して小さくすることができて、流量制御に関する構成の簡略化を図ることも可能になる。
【００３０】
また、ノズル本体２の回転軸としてのシャフト８の一端がオリフィス７の軸孔７ａに支持され他端が噴流口カバー９の軸孔９ａに支持されているため、ノズル本体２とオリフィス７の軸を容易に一致させてオリフィス７からノズル本体２の噴流孔３内に水を良好に吐出できたり、シャフト８の外周面に沿って噴流を良好に流すことができる等、ノズル本体２の回転を一層安定化させることができると共に、ノズル本体２の支持機構を簡略化することができる。またさらに、回転ノズル装置１を上記の如く構成することにより、図１１の回転ノズル装置１０１に得られる各種作用効果をも容易に得ることが可能になる。
【００３１】
図５〜図１０は、本発明に係わる回転ノズル装置のそれぞれ他の実施例を示している。以下、上記実施例と同一部位には同一符号を付して説明する。先ず図５及び図６に示す回転ノズル装置の特徴は、ノズル本体２に制動手段としての羽根１９を円筒部１７の外周面１７ａに軸方向に平行に設けると共に、略円板状の噴射面部１８に内側から外側に向けて傾斜した噴流口４ａ、４ｂを設けた点にある。
【００３２】
すなわち、ノズル本体２を円筒部１７と、この円筒部１７より所定寸法大きい外径の所定板厚の円板状の噴射面部１８とで形成し、円筒部１７の外周面１７ａに平板状の複数枚（図では６枚）の羽根１９を軸方向に平行でかつ外周面１７ａに略垂直状態で一体成形する。そして、噴射面部１８に円形部１７内の噴射孔３に連通する状態で、内側から外側に向けて所定角度で傾斜する噴流口４ａ、４ｂを形成する。
【００３３】
この実施例においても、ノズル本体２は、一対の噴流口４ａ、４ｂから噴射される噴流によってシャフト８を中心に回転し、この回転時に羽根１９がユニット噴流口カバー５内の水の抵抗力を受ける状態となり、上記実施例と同様の作用効果を得ることができる。なお、この実施例においては、羽根１９を軸と平行ではなく、図５の二点鎖線ａで示すように、軸方向に対して斜めとなるようにして設けることで水の抵抗力を調整したり、二点鎖線ｂで示すように、羽根１９を軸方向に分割して一列状もしくは千鳥状に設けることで水の抵抗力を調整することもできる。
【００３４】
また、図７及び図８に示す回転ノズル装置の特徴は、ノズル本体２に制動手段としての図５に示す羽根１９を円筒部１７の内周面１７ｂに軸方向に平行に設けた点にある。そのため、この実施例のノズル本体２は、円筒部１７の外周面１７ａを含め噴射面部１８の外周面が面一状態の円筒形状に形成され、羽根１９は外部から視認されない状態とされている。
【００３５】
この実施例においても、ノズル本体２の回転で、噴流孔３内の水の抵抗力を羽根１９が受ける状態となって、上記実施例と同様の作用効果を得ることができると共に、羽根１９が噴流孔３内の水の抵抗力を直接受ける状態となって、例えば図５に示す羽根１９に比較して水の抵抗力をより多く受けて制動効率が高められるという作用効果が得られる。この実施例においても、図５と同様に羽根１９を軸方向に対して斜めに設けたり、軸方向に分割して一列状もしくは千鳥状に設けること等もできる。
【００３６】
さらに、図９に示す回転ノズル装置の特徴は、ノズル本体２に制動手段としての羽根１９を円筒部１７の外周面１７ａに螺旋状（スパイラル状）で、かつ円筒部１７の外周面１７ａに対して略垂直となるように一体成形した点にある。この時、螺旋状の羽根１９の巻き方向は、ノズル本体２の回転方向に設けたりその逆方向に設ける等、所望する水の抵抗力が得られる方向に設定される。
【００３７】
この実施例においても、ノズル本体２の回転時にノズル本体２外部でユニット噴流口カバー５内の水の抵抗力を螺旋状の羽根１９で受けることができて、上記実施例と同様の作用効果を得ることができる。また、この例の場合、羽根１９の巻き方向を回転方向と同一にすることで、ノズル本体２の回転時に水の抵抗値を小さくした状態で気泡混合噴流の噴流孔３内における流れを促進させることができ、また逆に回転方向と逆方向に設定することで、気泡混合噴流の流れを抑えつつ水の抵抗値をより大きくすることができる。
【００３８】
また、図１０に示す回転ノズル装置の特徴は、図９に示す回転ノズル装置１の螺旋状の羽根１９をノズル本体２の円筒部１７の内周面１７ｂに一体成形した点にあり、この実施例においても、内部の螺旋状の羽根１９で噴流孔３内の水の抵抗力を受ける状態となって、上記実施例と同様の作用効果を得ることができると共に、羽根１９が円筒部１７の内周面１７ｂに設けられることから、図７に示す実施例と同様の作用効果を得ることができる。この図９及び図１０の実施例においても、羽根１９を連続した羽根１９で形成することなく分割して、これを所定位置に所定の巻き向きで設けること等もできる。
【００３９】
なお、本発明は上記した各実施例のそれぞれに限定されるものではなく、例えば羽根１９をノズル本体２の円筒部１７の外周面１７ａと内周面１７ｂに共に設けたり、図２に示す羽根１９と図９、図１０に示す羽根１９を共に設ける等、各実施例や二点鎖線等で示した変形例を適宜に組み合わせることができる。
【００４０】
また、上記各実施例において、羽根１９の所定部位に水の抵抗値を調整し得る孔や開口を設けることもできるし、上記実施例における羽根１９をノズル本体２の噴射面部１８や円筒部１７の外周面１７ａあるいは内周面１７ｂに略垂直ではなく、所定角度傾斜して設けることで水の抵抗力を調整する構成とすることもできる。また、本発明に係わる羽根１９は、一体成形に限らず、別体の羽根１９を適宜の固着手段で固着して一体化する構成も含むものである。
【００４１】
さらに、上記各実施例においては、制動手段としてリブ状の羽根１９を採用したが、例えば噴射面部１８の前方表面（外周面）や円筒部１７の外周面１７ａや内周面１７ｂに所定深さの溝を形成することで制動手段とすることもできるし、この溝とリブ状の羽根１９とを兼用することもできる等、水の抵抗力を受ける適宜形態の制動手段を採用することができる。
【００４２】
またさらに、上記実施例においては、ノズル本体２にシャフト８が一体的に固着される場合について説明したが、例えばシャフト８をノズル本体２にフリーな状態としても良いし、シャフト８をなくしてノズル本体２の軸方向の端部に回転軸としての軸部を一体成形する構造としても良い。また、上記実施例における、ノズル本体２の形状、これを回転自在に収容配置するユニット噴流カバー５及び噴流口カバー９、オリフィス７等の形状やその連結構造も一例であって、本発明に係わる各発明の要旨を逸脱しない範囲において適宜に変更することができる。
【００４３】
【発明の効果】
以上詳述したように、請求項１または２に記載の発明によれば、ノズル本体支持部材内に回転自在に収容配置されたノズル本体がその外周面に制動手段を有するため、ノズル本体の回転時に水による抵抗力を制動手段が効率的に受けてノズル本体の回転を制動でき、流量が多い状態であってもノズル本体の回転数を所定値に調整できて、安定した適正な回転が容易に得られてジェット噴流による快適なマッサージ効果を得ることができる。
【００４５】
また、請求項３に記載の発明によれば、請求項１または請求項２に記載の発明の効果に加え、制動手段がノズル本体の回転時に水の抵抗力を受ける羽根で形成されているため、制動手段の構成を簡略化することができて、例えば羽根のノズル本体への一体成形が可能になり、安価な回転ノズル装置を得ることができる。
【００４６】
また、請求項４に記載の発明によれば、請求項１ないし３に記載の発明の効果に加え、水による抵抗力が所定値となるように羽根の形状が予め設定されているため、羽根の形状設定という簡単な手法で、ノズル本体に所望の回転数を容易に得ることができる。
【００４７】
また、請求項５に記載の発明によれば、請求項１ないし４に記載の発明の効果に加え、ノズル本体の回転軸としてのシャフトがオリフィスとノズル本体支持部材で支持されるため、オリフィスとノズル本体の軸を容易に一致できてノズル本体に一層安定した回転が得られると共に、ノズル本体の支持機構の簡略化を図ることができる等の効果を奏する。
【図面の簡単な説明】
【図１】本発明に係わるジェットバス用の回転ノズル装置の一実施例を示す断面図
【図２】同そのノズル本体の半断面図
【図３】同その正面図
【図４】同その羽根枚数と回転数の関係を示すグラフ
【図５】本発明に係わる回転ノズル装置の他の実施例を示すノズル本体の斜視図
【図６】同その半断面図
【図７】本発明に係わる回転ノズル装置のさらに他の実施例を示すノズル本体の斜視図
【図８】同その断面図
【図９】本発明に係わる回転ノズル装置のさらに他の実施例を示すノズル本体の斜視図
【図１０】本発明に係わる回転ノズル装置のさらに他の実施例を示すノズル本体の斜視図
【図１１】従来の回転ノズル装置の図１と同様の断面図
【符号の説明】
１・・・・・・・・・回転ノズル装置
２・・・・・・・・・ノズル本体
３・・・・・・・・・噴流孔
４ａ、４ｂ・・・・・噴流口
５・・・・・・・・・ユニット噴流口カバー
６・・・・・・・・・バスタブ
７・・・・・・・・・オリフィス
７ａ・・・・・・・・軸孔
８・・・・・・・・・シャフト
９・・・・・・・・・噴流口カバー
９ａ・・・・・・・・軸孔
１２・・・・・・・・噴流口継手
１３・・・・・・・・ユニットバルブ配管
１７・・・・・・・・円筒部
１７ａ・・・・・・・外周面
１７ｂ・・・・・・・内周面
１８・・・・・・・・噴射面部
１９・・・・・・・・羽根
【図１】
0003854842.tif 000002
【図２】
0003854842.tif 000003
【図３】
0003854842.tif 000004
【図４】
0003854842.tif 000005
【図５】
0003854842.tif 000006
【図６】
0003854842.tif 000007
【図７】
0003854842.tif 000008
【図８】
0003854842.tif 000009
【図９】
0003854842.tif 000010
【図１０】
0003854842.tif 000011
【図１１】
0003854842.tif 000012